(57)【要約】【課題】  押圧ロールを用いることなくフイルム巻取り時にフイルムロールに巻き込まれたエアを除去する。【解決手段】  ＴＡＣフイルム１１を巻き取るフイルム巻取装置１０のフイルムロール１４の周面にエアノズル２８を設ける。エアノズル２８にＴＡＣフイルム１１の幅方向の長さの０．７〜１．１倍、より好ましくは０．７〜０．９倍の長さのスリット状のエアノズル開口２８ａを形成する。フイルム巻取り時には、エア配管３３を介して接続された高圧型ブロア３２で高圧エアを発生させ、エアノズル開口２８ａからフイルムロール１４の周面にエアを吹き付けてエアプレスする。押圧ロールを用いることなくフイルム巻取り時にフイルムロール１４に巻き込まれたエアが除去される。【選択図】        図１
2005096915.tif 000002
【特許請求の範囲】
【請求項１】
長尺のフイルムをロール状に巻き取るフイルム巻取装置において、
前記フイルムがロール状に巻き取られたフイルムロールの周面にエアを吹き付けて押圧するエア吹付手段を備えたことを特徴とするフイルム巻取装置。
【請求項２】
前記エア吹付手段はスリット状のエア開口を備え、前記エア開口の長手方向の長さは、前記フイルムの幅方向の長さの０．７〜１．１倍に形成されていることを特徴とする請求項１記載のフイルム巻取装置。
【請求項３】
前記フイルムロールの巻径を測定する巻径測定手段と、
前記巻径測定手段による測定結果に基づき、前記エア開口とフイルムロール周面との距離を一定に保つように前記エア吹付手段を移動させる移動手段とを備えることを特徴とする請求項１または２記載のフイルム巻取装置。
【請求項４】
前記巻径測定手段による測定巻径が長くなるのに応じて、前記エア吹付手段により前記フイルムロール周面を押圧する押圧力を減少させる押圧力制御手段を備えることを特徴とする請求項３記載のフイルム巻取装置。
【請求項５】
フイルム巻取り初期時における前記押圧力を２〜１０ｋＰａに設定し、フイルム巻取り終了時の押圧力を前記フイルム巻取り初期時の０．５〜０．８倍に設定することを特徴とする請求項４記載のフイルム巻取装置。
【請求項６】
前記フイルムロール周面の幅方向中央部への前記押圧力を幅方向端部への押圧力よりも高くしていることを特徴とする請求項１ないし５記載のフイルム巻取装置。
【請求項７】
前記フイルムとして、トリアセチルセルロースフィルムを用い、そのフイルム幅は、１０００〜１５００ｍｍであることを特徴とする請求項１ないし６記載のフイルム巻取装置。
【請求項８】
前記エア吹付手段は、前記フイルムロールの中心軸を中心とし、前記フイルムがフイルムロールに巻き取られる巻取開始位置からフイルム巻取り方向に向かって６０〜２４０°の範囲に設けられていることを特徴とする請求項１ないし７記載のフイルム巻取装置。
【請求項９】
前記エア開口の長手方向を挟み込むように形成され、このエア開口から吹き付けられたエアを吸気する吸気口を備えていることを特徴とする請求項２ないし８記載のフイルム巻取装置。
【請求項１０】
長尺のフイルムをロール状に巻き取るフイルム巻取装置のフイルム巻取方法において、  前記フイルムがロール状に巻き取られたフイルムロールにエアを吹き付けて押圧することを特徴とするフイルム巻取方法。
【発明の詳細な説明】
【技術分野】
【０００１】
本発明は、長尺のフイルムをロール状に巻き取るフイルム巻取装置及びその方法に関するものである。
【背景技術】
【０００２】
液晶ディスプレイ（ＬＣＤ）用偏光板保護フイルムなどに用いられるプラスチックフイルムは、一般に溶液製膜法により製造されている。この溶液製膜法を用いてプラスチックフイルムを製膜するフイルム製膜工程では、例えば、トリアセチルセルロース等のポリマーを、適宜各種添加剤を加えて溶媒によってドープにしたあと、エンドレスの無端支持体であるドラムもしくはバンドへ流延し、自己支持性をもったところで剥離して、ロールで搬送しながら熱風乾燥して製品フイルムを形成する。形成された製品フイルムは、搬送ラインの最下流にあるフイルム巻取装置に連続的に送られ、そこで樹脂、金属、木材、厚紙等で作られた円筒状の巻取り芯に、用途や設備能力等に応じて数百ｍから数千ｍの長さに巻き取られる。そして、ロール状に巻き取られたフイルムロールの形態で適宜梱包されて製品形態となる。
【０００３】
このフイルム巻取装置では、フイルム巻取り時またはフイルム巻取り後に、フイルムロールに巻き取ったフイルムがその幅方向にずれてしまう所謂巻ずれの発生を防止するために、巻取り中のフイルムにテンション（巻取り張力）を付与したり、或いは、フイルムの側端部にナーリングを施している。ここで、ナーリングとは、刻印ロールを用いて、一般にナーリングエンボスと呼ばれる加工を施して実質的に側端部の厚みを厚くすることをいう。
【０００４】
テンションを付与することで巻圧が強くなるため、巻ずれの発生を防止することはできるが、フイルムはその幅方向にわたって僅かに厚みむらがあるので、巻圧が強くなりすぎると、フイルムの凹凸が巻き重なって局所的に厚くなった箇所に圧力が強くかかってしまう。その結果、透明の筋状の故障（以下、単に黒帯という）や巻きしわが発生しやすくなる。特に、フイルムがフイルム巻取装置に一定速度で搬送されてくる場合には、フイルムロールの巻径が長くなるのに対応して、フイルムを巻き取る巻取速度を減速させているので、フイルムに付与するテンションも巻径に対応して低減させないと巻圧が強くなって黒帯や巻きしわが発生してしまう。
【０００５】
また、テンションを強くする代わりにナーリングを施した場合には黒帯や巻しわの発生は抑えられるが、フイルム側端部が厚くなってしまうので、フイルム巻取り時にエアを一緒に巻き込んでしまう。さらに、エアを巻き込んだ状態で長い時間保管しておくと、エアを巻き込んだ箇所が押しつぶされて陥没してしまう。
【０００６】
このような黒帯や陥没などの品質故障の発生を抑えながら巻きずれの発生を防止する方法として、例えば、特許文献１に記載されているように、巻圧が所定の値を超えて黒帯や巻きしわが発生したり、逆に巻圧が弱くなって巻きずれが発生しないように、フイルムロールの巻径に応じてフイルムに付与するテンションを制御するのと同時に、フイルムロール周面にレイオンロールなどの押圧ロールを所定の圧力で押圧させて、フイルム巻取り時に巻き込まれたエアを強制的に除去する方法がある。
【０００７】
【特許文献１】特開２００３−２２０１４３号公報（第３〜４頁）
【発明の開示】
【発明が解決しようとする課題】
【０００８】
ところで、一般にレイオンロールは、フイルムに対する保護性を高めるためにゴムラインニングされているので、レイオンロールとフイルムロールとの摺接、接触、剥離などによってフイルムロールが静電気を帯びてしまう。その結果、空気中をただよう浮遊塵が静電気により引き寄せられてしまうため、フイルムロールに異物が付着して異物故障が発生してしまう。この静電気対策として、例えばフイルムロール近傍に電圧印加式除電器を設置し、この除電器からイオンを発生させることによって静電気を除電する方法もあるが、この方法ではオゾンが発生して、レイオンロール表面のゴムを劣化させてしまうため、ゴム表面の体積抵抗が増加して帯電する静電気量がさらに増加してしまう。さらに、ゴムの硬さも硬硬くなってしまうので黒帯が発生してしまう。
【０００９】
また、レイオンロールとフイルムロールとが接触することによって、このフイルムロールに巻き回されたフイルムの表面に凹凸が形成されて、次工程で反射防止層形成液などを塗布した際に塗布むらを発生させる原因となってしまう。さらに、レイオンロールの押圧力を上げた際には、この塗布むらがさらに悪化してしまうおそれがあるため、改善が強く望まれていた。
【００１０】
本発明は上記問題を解決するためのものであり、黒帯、巻しわ、陥没、巻ずれなどの品質故障の発生を抑えた上で、さらに、レイオンロールなどの押圧ロールを用いることなく、フイルム巻取りを行うフイルム巻取装置及びその方法を提供するものである。
【課題を解決するための手段】
【００１１】
本発明のフイルム巻取装置及びその方法は、長尺のフイルムをロール状に巻き取るフイルム巻取装置において、前記フイルムがロール状に巻き取られたフイルムロールの周面にエアを吹き付けて押圧するエア吹付手段を備えたことを特徴とする。また、前記エア吹付手段はスリット状のエア開口を備え、前記エア開口の長手方向の長さは、前記フイルムの幅方向の長さの０．７〜１．１倍に形成されていることが好ましい。さらに、前記フイルムロールの巻径を測定する巻径測定手段と、前記巻径測定手段による測定結果に基づき、前記エア開口とフイルムロール周面との距離を一定に保つように前記エア吹付手段を移動させる移動手段とを備えることが好ましい。
【００１２】
また、前記巻径測定手段による測定巻径が長くなるのに応じて、前記エア吹付手段により前記フイルムロール周面を押圧する押圧力を減少させる押圧力制御手段を備えることが好ましい。また、フイルム巻取り初期時における前記押圧力を２〜１０ｋＰａに設定し、フイルム巻取り終了時の押圧力を前記フイルム巻取り初期時の０．５〜０．８倍に設定することが好ましい。さらに、前記フイルムロール周面の幅方向中央部への前記押圧力を幅方向端部への押圧力よりも高くしていることが好ましい。
【００１３】
また、前記フイルムとして、トリアセチルセルロースフィルムを用い、そのフイルム幅は、１０００〜１５００ｍｍであることが好ましい。また、前記エア吹付手段は、前記フイルムロールの中心軸を中心とし、前記フイルムがフイルムロールに巻き取られる巻取開始位置からフイルム巻取り方向に向かって６０〜２４０°の範囲に設けられていることが好ましい。さらに、前記エア開口の長手方向を挟み込むように形成され、このエア開口から吹き付けられたエアを吸気する吸気口を備えていることが好ましい。
【００１４】
また、長尺のフイルムをロール状に巻き取るフイルム巻取装置のフイルム巻取方法において、前記フイルムがロール状に巻き取られたフイルムロールにエアを吹き付けて押圧することを特徴とする。
【発明の効果】
【００１５】
本発明のフイルム巻取装置及びその方法は、フイルムロールをエアプレスすることにより、フイルム巻取り時に巻き込まれたエアをレイオンロールなどの押圧ロールを圧接させることなく非接触で除去することができるので、フイルムが静電気を帯びて異物故障が発生したり、フイルム表面に凹凸が形成されて次工程の塗布工程で塗布むらが発生するのを防ぐことが出来るという利点がある。
【発明を実施するための最良の形態】
【００１６】
図１は、本発明を実施したＬＣＤ用偏光板保護フイルム製膜工程のフイルム巻取装置１０を示した概略図である。フイルム巻取装置１０にはターレット方式、１軸方式などの各種巻取装置があるが、本発明はいずれのフイルム巻取装置を用いてもよく、本実施形態では１軸方式のフイルム巻取装置を用いる。フイルム巻取装置１０は、搬送ラインの最下流に設けられ、図示しない製膜装置、乾燥装置などで製造された偏光板保護フイルム、例えばトリアセチルセルロースフイルム（以下、単にＴＡＣフイルムという）１１を架台１２に回転自在に保持された巻芯１３でロール状に連続巻取する。そして、フイルム巻取量が増えるにつれて、この巻芯１３にはＴＡＣフイルム１１が何層にも巻き回されたフイルムロール１４が形成される。
【００１７】
ＴＡＣフィルム１１は、極めて高い透明性を有し、且つ光学異方性が小さく、且つレターデーションが低いため、ＬＣＤ用偏光板保護フイルムとして広く利用されているフイルムであり、本実施形態では厚さ２０〜２００μｍ、幅１０００〜１５００ｍｍのフイルムが用いられている。また、図示は省略するが、巻取り前のＴＡＣフイルム１１に、巻ずれ防止対策として前記ナーリングを施してもよい。
【００１８】
巻芯１３を含むフイルムロール１４の巻径が所定の長さに達したら、巻取り作業を一旦中断してＴＡＣフイルム１１をフイルムカッタ（図示せず）等を用いて所定の位置で切断する。次いで、フイルムロール１４を巻芯１３ごと取り外して、新たな巻芯１３を架台１２にセットする。その後に、フイルム巻付装置（図示せず）等を用いて、切断されたＴＡＣフイルム１１を新たな巻芯１３に巻き付けて巻取り作業を再開する。
【００１９】
巻芯１３は、モータ１７によって回転駆動され、巻芯１３が図中時計方向に回転されるとＴＡＣフイルム１１がフイルムロール１４に巻き取られる。モータ１７としては、パルスモータなどが多く用いられ、このモータ１７に印加されるモータ制御用パルス信号の周波数を制御することにより、モータ１７及び巻芯１３の回転速度、つまり、フイルムロール１４がＴＡＣフイルム１１を巻き取る巻取速度を制御することができる。
【００２０】
ＴＡＣフイルム１１は、常に一定の搬送速度でフイルム巻取装置１０に連続搬送されてくるので、フイルムロール１４の巻径が長くなるのに対応して、前記巻取速度を減速させている。そのため、フイルムロール１４のフイルム搬送ライン上流側には、フイルムロール１４の巻径を算出するために、フイルムロール１４に巻き取られたＴＡＣフイルム１１の巻取量を測定する巻取量測定手段が設けられている。この巻取量測定手段としては、例えば、パスロール１６の一つに、このロールの回転をパルス信号に変換するパルスジェネレータ１８を取り付けて、このパルスジェネレータ１８により変換されたパルス信号のパルス数をカウントすることによりＴＡＣフイルム１１の巻取量を求める。そして、求められた巻取量からフイルムロール１４の巻径を算出する。
【００２１】
フイルムロール１４のフイルム搬送ライン上流側には、前記パスロール１６の他に、前記特許文献１に記載されているようなフイルムテンションを測定するためのテンション測定用ロール２０と、このテンション測定用ロール２０に接続されたテンション測定センサ２１と、テンションの調節に用いられるダンサロール２３と、ガイドロール２４と、ダンサロール２３を図中上下方向に移動させることによりＴＡＣフイルム１１に付与されるテンションを調整するダンサ機構２５とが設けられている。
【００２２】
テンション測定センサ２１は、テンション測定用ロール２０を介して、ＴＡＣフイルム１１のテンションを測定する。上述したように、ＴＡＣフイルム１１に付与されるテンションが強いとフイルムロール１４の巻圧が強くなって黒帯や巻きしわが発生してしまう。逆に、テンションが弱いと巻圧が弱くなって巻きずれが発生してしまう。そのため、ＴＡＣフイルム１１に付与されるテンションが常に所定の範囲内になるように、ダンサ機構２５を用いてダンサロール２３の位置を調整している。例えば、テンションを強くしたい場合には、ダンサロール２３を図中上方に移動させ、逆にテンションを弱くしたい場合には、ダンサロール２３を図中下方に移動させる。テンション測定センサ２１よりの測定情報に基づいて、ダンサロール２３を図中上下方向に移動させることによって、フイルムロール１４の巻圧を所定の範囲内に調整することができる。
【００２３】
また、上述したように、ＴＡＣフイルム１１の搬送速度が一定速度に固定されているのに対して、フイルムロール１４の巻取速度は巻径が長くなるのに対応して減速させているので、ＴＡＣフイルム１１に付与するテンションも巻径に対応して低減させないと巻圧が強くなって黒帯や巻きしわが発生してしまう。そのため、フイルム巻取装置１０では、前記特許文献１に記載されているように、フイルムロール１４の巻径または巻取量に対応してフイルムに付与するテンションを低減させている。
【００２４】
従来のフイルム巻取装置では、レイオンロールなどの押圧ロールをフイルムロール１４の周面に圧接させることによって、フイルム巻取り時に巻き込んだエアを除去していたので、ＴＡＣフイルム１１が帯電して異物故障等の問題が発生してしまう。そのため、本発明では、レイオンロールの代わりにエアノズル２８を設けて、このエアノズル２８に形成されたスリット状のエアノズル開口２８ａからフイルムロール１４の周面に高圧エアを吹き付けてエアプレスすることにより、フイルム巻取り時に巻き込んだエアを非接触で除去する。
【００２５】
エアノズル２８は、そのエアノズル開口２８ａの長手方向とフイルムロール１４の中心軸とが平行になるようにフイルムロール１４の周面に配置され、さらに、例えば図２に示すように、フイルムロール１４の中心軸を中心とし、ＴＡＣフイルム１１がフイルムロール１４に巻き取られる巻取開始位置を０°として、フイルム巻き取り方向に向かって６０°（θ1 ）〜２４０°（θ4 ）の範囲内、より好ましくは９０°（θ2 ）〜１８０°（θ3 ）の範囲内の任意の位置に配置されている。なお、本実施形態では、エアノズル開口２８ａとフイルムロール１４の周面とを対向させているが、これに限定されるものではなく、例えば、エアノズル２８を前記長手方向を中心軸として、フイルムロール１４の周面に対して１５°〜４０°ほど傾けてもよい。
【００２６】
エアノズル開口２８の長手方向の長さがＴＡＣフイルムの幅よりも長いと、エアプレスする際にフイルムロール１４の側面からエアが入り込んでエアの除去効率が低下してしまう。そのため、エアノズル開口２８の長手方向の長さは、ＴＡＣフイルム１１の幅方向の長さの０．７〜１．１倍、より好ましくは０．７〜０．９倍の長さに形成されている。
【００２７】
エアノズル２８は、フイルムロール１４の巻径が長くなってもエアノズル開口２８とフイルムロール１４周面との距離を一定に保てるようにシフト機構３０に取り付けられ、フイルムロール１４の巻径が長くなるのに対応して図中左方向に移動される。なお、本実施形態では、エアノズル開口２８とフイルムロール１４周面との距離を２〜５０ｍｍに設定している。
【００２８】
エアノズル２８には、エアの発生源として、フィルタ、エアタンク及びコンプレッサからなる高圧型ブロア３２がエア配管３３を介して接続されている。また、このエア配管３３の配管途中には、エアの噴出を制御する自動弁３４の他に、図示は省略するが、高圧型ブロア３２で発生させたエアの湿度（露点）を調整する除湿器、エアの温度を調整する熱交換器などが設けられている。高圧型ブロア３２で発生させたエアは、エアノズル開口２８ａの長手方向にわたって均一な吹付圧力でフイルムロール１４周面に吹き付けられ、フイルムロール１４の周面を均一な押圧力でエアプレスする。なお、本実施形態では、フイルム巻取り初期時の前記押圧力が２〜１０ｋＰａになるように前記吹付圧力を調整している。そして、フイルムロール１４の巻径が長くなるのに対応して、この吹付圧力を徐々に減少させて、フイルム巻取り終了時の押圧力がフイルム巻取り初期時の０．５〜０．８倍になるように制御している。これにより、フイルムロール１４の巻径が長くなった際に、フイルムロール１４の外周側が強く巻かれることによって、フイルムロール１４内の巻芯１３側で巻ずれが発生してしまうことを防止できる。
【００２９】
高圧型ブロア３２やシフト機構３０などの制御はシステムコントローラ３６によって行われる。システムコントローラ３６は、図示は省略するが、ＣＰＵ、ワークＲＯＭ、ワークＲＡＭなどからなり、フイルム巻取装置１０の全体の動作を統括制御する。このシステムコントローラ３６には、パルスジェネレータ１８、テンション測定センサ２１、ダンサ機構２５、シフト機構３０、高圧型ブロア３２、自動弁３４の他、図示は省略するが、モータ１７を制御するモータドライバ、操作パネル等が接続されている。システムコントローラ３６は、フイルムロール１４の巻径が長くなるのに対応して、フイルムロール１４の巻取速度を減速させるようにモータ１７を制御するとともに、ＴＡＣフイルム１１に付与されるテンションを低減させるようにダンサ機構２５を制御する。また同時に、システムコントローラ３６は、シフト機構３０を制御してエアノズル開口２８ａとフイルムロール１４周面との距離を一定に保つようにシフト機構３０を制御しながら、エアの吹付圧力を減少させるように高圧型ブロア３２を制御する。
【００３０】
次に、本実施形態の作用について説明する。システムコントローラ３６は、巻芯１３が架台１２にセットされたらシフト機構３０を制御してエアノズル２８を所定の位置に移動させる。また同時に、高圧型ブロア３２を作動してフイルムロール１４周面に対する押圧力が２〜１０ｋＰａになるような高圧エアを発生させておく。エアノズル２８が所定の位置まで移動したら、システムコントローラ３６は、モータ１７を駆動させてフイルム巻取りを開始するとともに、自動弁３４を開いてエアノズル開口２８ａからフイルムロール１４の周面にエアを吹き付けてエアプレスする。これにより、フイルム巻取り時にフイルムロール１４に巻き込んだエアを除去することができる。
【００３１】
システムコントローラ３６は、フイルム巻取りが開始されたら、パルスジェネレータ１８より送られてくるパルス信号のパルス数をカウントして、フイルムロール１４（巻芯１３）に巻き取られたＴＡＣフイルム１１の巻取量を求め、さらに、この巻取量からフイルムロール１４の巻径を算出する。そして、システムコントローラ３６は、算出された巻径が長くなるのに対応して、フイルムロール１４の巻取速度を減速させる。同時に、システムコントローラ３６は、巻圧が高くなって黒帯や巻しわが発生したり、逆に巻圧が低くなって巻ずれが発生するのを防ぐために、ダンサ機構２５用いてＴＡＣフイルム１１に付与されるテンションの大きさを巻径に対応して低減させる。
【００３２】
また、システムコントローラ３６は、前記巻径が長くなるのに対応して、エアノズル２８をそのエアノズル開口２８ａとフイルムロール１４周面との距離が一定に保たれるように移動させる。同時に、システムコントローラ３６は、高圧型ブロア３２を制御してエアの吹付圧力を徐々に減少させて、フイルム巻取り終了時の押圧力がフイルム巻取り初期時の０．５〜０．８倍の圧力になるようにする。これにより、フイルムロール１４の巻径が長くなった際に、フイルムロール１４の外周側が強く巻かれることによって、フイルムロール１４内の巻芯１３側で巻ずれが発生してしまうことを防止できる。そして、フイルム巻取りが終了して、架台１２に新たな巻芯１３がセットされた時には、上述の処理を繰り返して行えばよい。
【００３３】
本発明では、フイルムロール１４をエアプレスすることにより、フイルム巻取り時に巻き込まれたエアをレイオンロールなどの押圧ロールを圧接させることなく非接触で除去できる。そのため、押圧ロールとＴＡＣフイルム１１とが摺接、接触、剥離することによって、ＴＡＣフイルム１１が静電気を帯びて異物故障が発生したり、ＴＡＣフイルム１１表面に凹凸が形成されて次工程で塗布むらが発生するのを防ぐことが出来る。
【００３４】
なお、本実施形態では、高圧型ブロア３２で発生させたエアを、エアノズル開口２８ａの長手方向にわたって均一な吹付圧力でフイルムロール１４周面に吹き付けるようにしたが、本発明はこれに限定されるものではなく、例えば、エアノズル開口中央部の吹付圧力をその両端部の吹付圧力よりも高くしてもよい。このエアノズル開口中央部の吹付圧力を高くした他の実施形態のエアノズル４０の概略図を図３に示す。
【００３５】
図３はエアノズル４０を正面から見た概略図であり、その内部は仕切り板４１によって、ノズル本体中央部４２ａとノズル本体端部４２ｂとの３つに分割されている。なお、エアノズル４０内部を分割する数は３つに限定されるものではなく、仕切り板４１の数を増やして４つ以上に分割してもよい。これらのノズル本体中央部４０ａとノズル本体端部４０ｂとには、それぞれ第１高圧型ブロア４３ａと第２高圧型ブロア４３ｂとが接続されているので、第１高圧型ブロア４３ａの吹付圧力を第２高圧型ブロア４３ｂの吹付圧力よりも高くすることで、ノズル本体中央部４２ａの吹付圧力のみを高くすることができる。その結果、フイルムロール１４周面の幅方向中央部を端部よりも高い押圧力でエアプレスすることができるので、フイルム巻取り時にフイルムロール１４の幅方向中央部に巻き込まれたエアがフイルムロール１４の両側面から抜け易くなる。そのため、フイルムロール１４周面の幅方向に均一な押圧力でエアプレスしたときよりもエアの除去効率を高めることができる。
【００３６】
本実施形態では、フイルムロールの周面にエアノズルが１個しか設けられていないが、本発明はこれに限定されるものではなく、２個以上設けてもよい。例えば図４に示すように、フイルムロール１４の中心軸を中心とし、ＴＡＣフイルム１１がフイルムロール１４に巻き取られる巻取開始位置を０°として、フイルム巻取り方向に向かって９０°の位置に第１エアノズル４５ａを設け、１８０°の位置に第２エアノズル４５ｂを設ける。そして、各エアノズル４５ａ，４５ｂにそれぞれ第１高圧型ブロア４３ａと第２高圧型ブロア４３ｂとを接続することで、２個のエアノズルを用いてエアプレスすることができる。その結果、エア除去効率をより高めることができる。また、これら各エアノズル４５ａ，４５ｂの吹付圧力を同じ圧力にする必要はなく、例えば、第１高圧型ブロア４３ａの吹付圧力を第２高圧型ブロア４３ｂの吹付圧力よりも低くして、最初に第１エアノズル４５ａで予備プレスをしてある程度エアを除去させておいてから、第２エアノズル４５ｂで本プレスをして残ったエアを完全に除去させるようにしてもよい。
【００３７】
本実施形態のエアノズル２８は、フイルムロール１４の周面にエアを吹き付けけてエアプレスを行うが、吹き付けられたエアがフイルムロール１４の周面で拡散して、その周面に沿って流れてしまう。その結果、フイルムロール１４の周面に沿って流れたエアの一部が、ＴＡＣフイルム１１を巻き取る際にフイルムロール１４に巻き込まれてしまうおそれがある。そのため、例えば図５に示すように、エアノズル開口２８ａから吹き付けられたエアを吸気する吸気口４８を前記エアノズル開口２８ａの長手方向を挟み込むように形成してもよい。この場合には、高圧型ブロア３２（図１参照）の他にエアを吸気する吸気用ポンプ（図示せず）を設け、各吸気口４８に吸気用エア配管４９を介して接続する。これにより、エアノズル開口２８ａからフイルムロール１４周面に吹き付けられたエアが各吸気口４８から吸気されるため、エアがフイルムロール１４の周面に沿って流れるのを防ぐことができる。
【産業上の利用可能性】
【００３８】
本発明は、ＬＣＤ用偏光板保護フイルム製膜工程のフイルム巻取装置に限定されるものではなく、ＬＣＤ以外のディスプレイに用いられる保護フイルム、ＰＥＴ（ポリエチレンテレフタレート）フイルム、感熱記録紙、磁気記録テープ、写真フイルム、接着剤テープ等などをロール状に巻き取る各種フイルム巻取り装置に適用することができる。
【図面の簡単な説明】
【００３９】
【図１】本発明を実施したフイルム巻取装置の概略図である。
【図２】同フイルム巻取装置のエアノズルの配置例を示した説明図である。
【図３】同エアノズルのエアノズル開口の中央部のエア吹付圧力を端部の吹付圧力よりも高くした他の実施形態を示した概略図である。
【図４】同エアノズルを複数個設けた他の実施例を示した概略図である。
【図５】同エアノズルに吸気口を設けた別の実施形態を示した概略図である。
【符号の説明】
【００４０】
１０    フイルム巻取装置
１１    ＴＡＣフイルム
１４    フイルムロール
１７    モータ
１８    パルスジェネレータ
２３    ダンサロール
２４    ガイドロール
２５    ダンサ機構
２８    エアノズル
２８ａ    エアノズル開口
３０    シフト機構
３２    高圧型ブロア
３６    システムコントローラ
【図１】
2005096915.tif 000003
【図２】
2005096915.tif 000004
【図３】
2005096915.tif 000005
【図４】
2005096915.tif 000006
【図５】
2005096915.tif 000007